(57)【特許請求の範囲】
【請求項１】
複数の通信回線をそれぞれ接続する通信回線接続部と、それぞれの通信回線よりのＣＩ信号を検出するＣＩ信号検出部と、それぞれの通信回線のＣＩ信号の個数をカウントするＣＩ信号カウンタと、無効とする基準となる数値を予め設定記憶する基準値記憶部と、前記ＣＩ信号のカウント毎にＣＩ信号カウント値が前記基準値より小さいか否かを判定し、ＣＩ信号カウント値が前記基準値より小さい場合はＣＩ信号を無視し、ＣＩ信号カウント値が前記基準値以上の場合に、呼び出し信号有りとする着信判定手段と、を備え、この着信判定手段による呼び出し信号ありの判定に応じて着信処理を実行するようにしたことを特徴とする通信端末装置。
【請求項２】
前記基準値記憶部は、不揮発メモリが使用されることを特徴とする請求項１記載の通信端末装置。
【請求項３】
前記基準値記憶部に記憶される基準値は、操作入力手段の操作により、設定されることを特徴とする請求項１又は請求項２記載の記録装置。
【発明の詳細な説明】
【０００１】
【発明の属する技術分野】
この発明は、ファクシミリ装置などの通信端末装置に関する。
【０００２】
【従来の技術】
ファクシミリ装置等の通信端末装置には、複数の通信回線に接続され、いずれの通信回線から呼び出しを受け、あるいは送信する、いわゆる拡張回線機能を持つ機種がある。この種の装置においては、それぞれの通信回線に対応して呼び出し信号であるＣＩ（コーリングインジケーション）信号を検出するＣＩ検出回路があり、一方のＣＩ検出回路でＣＩ信号を検出すると、他方のＣＩ検出信号処理を禁止する。ここで言うＣＩ信号は、例えば図４の（ａ）に示す１６ＨＺの信号であり、海外では２０ＨＺのものもある。１波をカウントする毎に、ＣＩ信号検出とする。また、従来、信号入力によるＣＩ検出回路で数ＨＺの信号を検波したＣＩ信号を検出した場合、ＣＩ信号の変動でない場合に、その他の起動要因を探すものがある（例えば、特許文献１参照）。
【０００３】
【特許文献１】
特開昭５９−１１５６７２号公報
【０００４】
【発明が解決しようとする課題】
上記した拡張回線機能を持つ装置においては、通信回線が互いに近接している等の理由から、一方の通信回線のＣＩ信号が他方の通信回線に対して、１ないし数個（１波数を１個とする）のノイズとして混入し、これが図４の（ａ）に示す信号に対する、図４の（ｂ）の信号のように先行して、その通信回線のＣＩ検出回路で検出されると、この信号検出にて、他方の通信回線の正規のＣＩ信号の検出処理を禁止し、結果として、ＣＩ信号の検出が遅れ、あるいは検出できないなどの不都合を生じる。上記特許文献１に記載の技術を採用しても、この不都合を解消することができない。
【０００５】
この発明は上記問題点に着目してなされたものであって、拡張回線機能を有する装置において、通信回線へのノイズ混入による他通信回線の呼び出し信号検出に誤動作を生じさせない通信端末装置を提供することを目的としている。
【０００６】
【課題を解決するための手段】
この発明の通信端末装置は、複数の通信回線をそれぞれ接続する通信回線接続部と、それぞれの通信回線よりのＣＩ信号を検出するＣＩ信号検出部と、それぞれの通信回線のＣＩ信号の個数をカウントするＣＩ信号カウンタと、無効とする基準となる数値を予め設定記憶する基準値記憶部と、前記ＣＩ信号のカウント毎にＣＩ信号カウント値が前記基準値より小さいか否かを判定し、ＣＩ信号カウント値が前記基準値より小さい場合はＣＩ信号を無視し、ＣＩ信号カウント値が前記基準値以上の場合に、呼び出し信号有りとする着信判定手段と、を備え、この着信判定手段による呼び出し信号ありの判定に応じて着信処理を実行するようにしている。
【０００７】
この発明の通信端末装置では、それぞれの通信回線のＣＩ信号検出部で検出したＣＩ信号の個数をＣＩ信号カウンタでカウントし、そのカウント値が、基準値記憶部に予め設定記憶している基準値より小さいと、呼び出し信号有りとしないで無視するので、他の通信回線に混入したＣＩ信号ノイズによって、正規のＣＩ信号の検出を妨げることがない。
【０００８】
この発明の通信端末装置では、前記基準値記憶部は、不揮発メモリを使用すると良い。一度、基準値を設定されると、停電、電源ＯＦＦでも再設定は不要である。
【０００９】
また、この発明の通信端末装置では、前記基準値記憶部に記憶される基準値は、操作入力手段の操作により、設定すると良い。個々の装置毎に通信の状況に応じ、適正な基準値を容易に設定することができる。
【００１０】
【発明の実施の形態】
以下、実施の形態により、この発明を更に詳細に説明する。図１は、この発明の一実施形態であるファクシミリ装置の回路構成を示すブロック図である。この実施形態ファクシミリ装置は、拡張回線機能を有し、制御部１と、モデム２と、ＣＩ検出部３と、ＣＩ検出部４と、直流再生部５と、ＲＯＭ６と、ＲＡＭ７と、画像メモリ８と、操作部９と、表示部１０とを備え、更に図示していないが、画像読取部、画像記録部、ＣＯＤＥＣ等をも備えている。また、Ｌｉｎｅ（通信回線）１と、Ｌｉｎｅ（通信回線）２が接続されている。また、Ｌｉｎｅ１にＣＩ検出部３が、Ｌｉｎｅ２にＣＩ検出部４がそれぞれ接続されている。
【００１１】
制御部１は、この装置を構成する各部を制御する機能を有する。通信回線であるＬｉｎｅ１、Ｌｉｎｅ２との接続を制御し、相手先の電話番号（ＦＡＸ番号を含む）に対応したダイヤル信号を送出する機能帯び着信を検出するための機能を含む。モデム２は、ＩＴＵ（国際電気通信連合）−Ｔ勧告Ｔ．３０、Ｔ．４等に従ったファクシミリ伝送制御手順に基づいて、Ｖ．１７、Ｖ．２７ｔｅｒ、Ｖ．２９等に従った送信データの変調及び受信データの復調を行う。或いは、これらに加えてＶ．３４に従った送信データの変調及び受信データの復調を行う。ＣＩ検出部３、あるいはＣＩ検出部４で、ＣＩ信号が検出されると、これに応じて、モデム２はＬｉｎｅ１とＬｉｎｅ２間で切り換え接続される。
【００１２】
ＣＩ検出部３は、通信回線Ｌｉｎｅ１からのＣＩ信号（図４に示す信号）を検出する。このＣＩ信号は、１６ＨＺの信号、つまり１秒間で１６発の信号である。ＣＩ検出部４は、通信回線Ｌｉｎｅ２からのＣＩ信号を検出する。ＣＩ検出部３でＬｉｎｅ１からのＣＩ信号を検出すると、その検出信号によりリレーが動作し、Ｌｉｎｅ１がモデム２に接続され、逆にＣＩ検出部４でＬｉｎｅ２からのＣＩ信号を検出すると、その検出信号によりリレーが動作し、Ｌｉｎｅ２がモデム２に接続される。直流発生回路５は、電話器ＴＥＬを駆動するための電圧を出力する。
【００１３】
ＲＯＭ６は、この装置を制御するためのプログラムを記憶する。ＲＡＭ７はデータを一時的に記憶する。ＲＡＭ７には、図３に示すように、ＣＩ割り込み無効個数メモリ７ａ、及びＣＩカウンタ７ｂを備えている。
【００１４】
ＣＩ割り込み無効個数メモリ７ａは、ＣＩ割り込みを無効とするＣＩ信号のカウント値の基準値を記憶する。ＣＩカウンタ７ｂは、ＣＩ信号の１周期（１波）分毎の検出数をカウントする。これらメモリ、特にＣＩ割り込み無効個数メモリ７ａは、不揮発性メモリで構成することが望ましい。また、ＣＩ割り込み無効個数メモリ７ａの基準値は、例えば０から１０の範囲で操作部１０より、予め設定登録される。  画像メモリ８は、受信画像データや画像読取部で読み取った画像データを一時的に記憶する。また、表示部（ＬＣＤ）９は、アイコン、キーボタンの表示や、データの送受信に必要なメッセージ内容等を表示する。操作部１０はワンタッチキー、登録キー、ＦＡＸモード・コピーモード・スキャナモード等の複数の動作モードについてのモード切り替えを行うための動作モード切替キー、テンキー、スタートキー、その他のキーを有する。
【００１５】
次に、この実施形態ファクシミリ装置のＬｉｎｅ１あるいはＬｉｎｅ２からＣＩ信号が入力された場合のＣＩ割り込み処理を図２に示すフロー図を参照して説明する。この処理ルーチンが開始されると、ステップＳＴ１においては、ＣＩ割り込み発生か否か判定する。この判定は、例えばＣＩ検出部３で図４に示す１周期のＣＩ信号を検出したか否かに基づいて判定する。ＣＩ信号を１発検出すると、判定ＹＥＳで、ステップＳＴ２へ移行する。ステップＳＴ２においては、制御部１にＣＩ信号検出の取り込み、つまりＣＩ割り込み発生を取り込む。続いて、ステップＳＴ３へ移行する。
【００１６】
ステップＳＴ３においては、ＣＩカウンタ７ｂを１カウントアップする。最初の１発目のＣＩ信号の検出の場合は、カウント値は１となる。続いて、ステップＳＴ４へ移行する。ステップＳＴ４においては、ＣＩ割り込み無効個数メモリ７ａの記憶基準値が０より大きいか否か判定する。記憶基準値が０よりも大きい場合は、ステップＳＴ５へ移行する。一方、記憶基準値が０の場合は、ステップＳＴ６へ移行する。
【００１７】
ステップＳＴ５においては、ＣＩカウンタ７ｂのカウント値がＣＩ割り込み無効個数メモリ７ａに記憶している無効基準値より大きいか否か判定する。例えば、無効基準値が３で設定記憶されていれば、ＣＩカウント値が１では、判定ＮＯであり、ステップＳＴ１へ戻る。一方、ＣＩ信号の入力が連続し、ＣＩカウント値が無効基準値より大きくなると、ステップＳＴ６へ移行する。ステップＳＴ６においては、ここで正規なＣＩ信号の検出があったものとして、そのＬｉｎｅにおける着信検出処理を行う。
【００１８】
今、例えば図４の（ａ）に示すＣＩ信号がＬｉｎｅ１より入力された場合に、この信号よりタイミング的に先行して、図４の（ｂ）に示す２個のノイズがＬｉｎｅ２に入力された場合を想定すると、そして設定してある無効基準値を３であるとすると、Ｌｉｎｅ２より、ＣＩ検出部４に入力されるＣＩ信号（ノイズ）は２個であり、これにより図２の処理では、ステップＳＴ５の処理がＣＩカウンタ７ｂのカウント値が２で、無効基準値が３で、判定ＮＯのままで続いてＣＩ信号が入力されないので、ＣＩ信号２個分の入力は無視され、着信検出処理が実行されない。これに対しＬｉｎｅ１より図４の（ａ）に示す信号が入力されると、ＣＩ検出部３で４個目の信号入力を検出すると、ステップＳＴ５の判定がＹＥＳとなり、着信有りの処理に移行することになる。つまり、リレーを動作させてＬｉｎｅ１をモデム２に接続して、Ｌｉｎｅ１からの呼び出しを受信可能とする。
【００１９】
この発明によれば、無効とする基準値を予め設定記憶しておき、それぞれの通信回線の検出したＣＩ信号カウント値が基準値より小さい場合はＣＩ信号を無視し、基準値以上の場合に呼び出し信号有りとして、着信処理するので、基準値を任意に設定することにより、システムの状況に合わせて、適正に、他通信回線のノイズによる正規の呼び出し信号検出の遅れ、検出漏れを防止できる。
【図面の簡単な説明】
【図１】この発明の一実施形態であるファクシミリ装置の要部構成を示すブロック図である。
【図２】同実施形態ファクシミリ装置のＣＩ割り込み処理を説明するためのフロー図である。
【図３】同実施形態ファクシミリ装置のＲＡＭに配置されるメモリを示す図である。
【図４】同実施形態ファクシミリ装置に入力されるＣＩ信号を説明する波形タイムチャートである。
【符号の説明】
１                        制御部
２                        モデム
３、４                    ＣＩ検出部
５                        直流発生部
６                        ＲＯＭ
７                        ＲＡＭ
７ａ                      ＣＩ割り込み無効個数メモリ
７ｂ                      ＣＩカウンタ
８                        画像メモリ
９                        操作部
１０                      表示部
Ｌｉｎｅ１、Ｌｉｎｅ２    通信回線
【図１】
0003719434.tif 000002
【図２】
0003719434.tif 000003
【図３】
0003719434.tif 000004
【図４】
0003719434.tif 000005